(57)【要約】【課題】印刷された少なくとも１枚の樹脂製プレートを含んで多数層に接合することによって印刷された印刷表示を装飾性豊かに表現にすること。【解決手段】立体構造物１は、一方の面に印刷された第１のプレート３と、印刷表示６面を間にして接合する第２のプレート４を可視光重合型一液性樹脂材５で接着して形成する。第１のプレート３と第２のプレート４とは光透過性樹脂材で形成して印刷表示６を明確に表現する。印刷層を２重に形成したり、遮光部材を端面に貼着したり、又は、印刷表示６を備えるプレートを少なくとも２枚重ねたりすることで、印刷表示６を目立たせるとともに、立体構造物の角部に傾斜面や湾曲面を形成して印刷表示６に装飾性を付与して鑑賞させる。【選択図】図１
2009128771.tif 000002
【特許請求の範囲】
【請求項１】
光透過性樹脂材で形成された第１のプレートの一方の面に印刷が施され、前記第１のプレートの印刷された面に光透過性樹脂材で形成された第２のプレートを、可視光重合型一液性接着剤で接合して形成されていることを特徴とする立体構造物。
【請求項２】
光透過性樹脂材で形成された第１のプレートの一方の面に印刷が施され、前記第１のプレートの印刷された面に光透過性樹脂材で形成された第２のプレートの一方の面を、可視光重合型一液性接着剤で接合するとともに、前記第１のプレートの他方の面に光透過性樹脂材で形成された少なくとも１枚のプレートを可視光重合型一液性接着剤で接着し、前記第２のプレートの他方の面に光透過性樹脂材で形成された少なくとも１枚のプレートを、可視光重合型一液性接着剤で接合して形成されていることを特徴とする立体構造物。
【請求項３】
前記第１のプレートに印刷された印刷層が２層で形成されていることを特徴とする請求項１又は２記載の立体構造物。
【請求項４】
前記第１のプレートの印刷面側に接合された第２のプレートあるいは複数枚の光透過性樹脂材のプレートの最後端の裏面には遮光部材が接合されていることを特徴とする請求項１，２又は３のいずれかに記載の立体構造物。
【請求項５】
片面が印刷された前記第１のプレートを含んで複数の光透過性樹脂材を積層して形成された構造物の外周面の一部には、湾曲面又は傾斜面が形成されていることを特徴とする請求項１，２，３又は４のいずれかに記載の立体構造物。
【請求項６】
光透過性樹脂材で形成された第１のプレートの一方の面に印刷が施され、前記第１のプレートの印刷された面に光透過性樹脂材で形成された第２のプレートの一方の面を、可視光重合型一液性接着剤で接合するとともに、前記第１のプレートの他方の面に光透過性樹脂材で形成された少なくとも１枚のプレートを可視光重合型一液性接着剤で接着し、前記第２のプレートの他方の面に光透過性樹脂材で形成された少なくとも１枚のプレートを、可視光重合型一液性接着剤で接合するとともに、前記第１のプレートとは別のプレートの一方の面に印刷が施されていることを特徴とする立体構造物。
【請求項７】
前記印刷が、印刷の施されたプレートの一方の面の周縁部を残して略全面に貼付された全面印刷層として形成されていることを特徴とする請求項１，２，３，４，５又は６のいずれかに記載の立体構造物。
【請求項８】
前記印刷が、印刷の施されたプレートの一方の面において無地部を含めた印刷表示からなる部分印刷層として形成されていることを特徴とする請求項１，２，３，４，５又は６のいずれかに記載の立体構造物。
【発明の詳細な説明】
【技術分野】
【０００１】
本発明は光透過性樹脂材で形成された矩形板状のプレートに印刷された文字や図形あるいは写真等を強調して表現できる立体構造物に関し、さらに装飾性に優れた立体構造物に関する。
【背景技術】
【０００２】
光透過性樹脂材を使用した置物や飾り物は、従来から提供されている。例えば、従来において、固型中空部を透明性の樹脂枠体内に備えた立体有形物の樹脂構造体が特許文献１によって知られている。これによると、立体有形物の樹脂構造体は、各種の教材・展示物・置物において平面的な写真や印刷物に代わるものとして有用に活用できるものとして提供されている。この樹脂構造体は継目なし樹脂枠体に固型中空部として現した構造からなり、中空部を彫刻体の立体外周と同一サイズ同一形状の外形形状を有する立体中空部にして底部が開放されて外側と連通した構造となっている。
【特許文献１】特開２００４−１１４４７３公報
【特許文献２】特開２００７−１８５８５２公報
【発明の開示】
【発明が解決しようとする課題】
【０００３】
しかし、特許文献１に開示されているものでは、実物と同質同一となる精微な外周形状・表面意匠を備えた高度のリアリティで高品質なものであるものの、その成形方法は、精微鋳造のロストワックス工法を応用していることから、極めてコストを高くするものであった。また、透明な樹脂枠を使用しているものの、印刷された文字や図形あるいは写真等を強調して表現することに関しては特に開示されているものではなかった。
【０００４】
一方、樹脂製のプレートに印刷できる印刷機が、例えば、特許文献２によって知られている。これによると、この印刷機は、ＵＶ硬化型のインク使用のインクジェットプリンタであり、紫外線を照射することによってインク滴を硬化させるとともに厚みのあるプリントメディア（例えば、樹脂製のプレート）の片面に印刷可能に構成されている。印刷されたプリントメディアは、その表面に耐水性、耐候性を有することから、屋外広告等に利用されていた。この技術を利用するとともに光を透過することによって新たな装飾性の豊かな立体構造物を提供することが課題として発生していた。
【課題を解決するための手段】
【０００５】
本発明は、上述の課題を解決するものであり、印刷された文字や図形あるいは写真等を強調して装飾性の豊かな構造物として提供するとともに、高価に表現できる立体構造物を提供することを目的とする。そのために、本発明に係る立体構造物は、以下のように構成するものである。すなわち、
請求項１記載の発明では、光透過性樹脂材で形成された第１のプレートの一方の面に印刷が施され、前記第１のプレートの印刷された面に光透過性樹脂材で形成された第２のプレートを、可視光重合型一液性接着剤で接合して形成されていることを特徴とするものである。
【０００６】
請求項２記載の発明では、光透過性樹脂材で形成された第１のプレートの一方の面に印刷が施され、前記第１のプレートの印刷された面に光透過性樹脂材で形成された第２のプレートの一方の面を、可視光重合型一液性接着剤で接合するとともに、前記第１のプレートの他方の面に光透過性樹脂材で形成された少なくとも１枚のプレートを可視光重合型一液性接着剤で接着し、前記第２のプレートの他方の面に光透過性樹脂材で形成された少なくとも１枚のプレートを、可視光重合型一液性接着剤で接合して形成されていることを特徴とするものである。
【０００７】
請求項３記載の発明では、前記第１のプレートに印刷された印刷層が２層で形成されていることを特徴としている。
【０００８】
請求項４記載の発明では、前記第１のプレートの印刷面側に接合された第２のプレートあるいは複数枚の光透過性樹脂材のプレートの最後端の裏面には遮光部材が接合されていることを特徴としている。
【０００９】
請求項５記載の発明では、片面が印刷された前記第１のプレートを含んで複数枚の光透過性樹脂材のプレートを積層して形成された構造物の外周面の一部には、湾曲面又は傾斜面が形成されていることを特徴としている。
【００１０】
請求項６記載の発明では、光透過性樹脂材で形成された第１のプレートの一方の面に印刷が施され、前記第１のプレートの印刷された面に光透過性樹脂材で形成された第２のプレートの一方の面を、可視光重合型一液性接着剤で接合するとともに、前記第１のプレートの他方の面に光透過性樹脂材で形成された少なくとも１枚のプレートを可視光重合型一液性接着剤で接着し、前記第２のプレートの他方の面に光透過性樹脂材で形成された少なくとも１枚のプレートを、可視光重合型一液性接着剤で接合するとともに、前記第１のプレートとは別のプレートの一方の面に印刷が施されていることを特徴とするものである。
【００１１】
請求項７記載の発明では、前記印刷が、印刷の施されたプレートの一方の面の周縁部を残して略全面に貼付された全面印刷層として形成されていることを特徴としている。
【００１２】
請求項８記載の発明では、前記印刷が、印刷の施されたプレートの一方の面において無地部を含めた印刷表示からなる部分印刷層として形成されていることを特徴としている。
【発明の効果】
【００１３】
本発明によれば、立体構造物は、光透過性樹脂材で形成された第１のプレートを有し、第１のプレートの一方の面には印刷が施されている。第１のプレートの印刷された面に光透過性樹脂材で形成された第２のプレートを、可視光重合型一液性接着剤で接合することによって、接着剤が気泡を発生することなく、また光の透過を妨げることなく接着できる。印刷された文字や図形あるいは写真等の印刷表示は、光が光透過性樹脂材を透過することによって協調され、それによって高価であり且つ装飾性の豊かな立体構造物として鑑賞することができる。
【００１４】
この印刷が施された立体構造物は、印刷層を２層に形成したり、構造物の端面に遮光部材を接合したりすることによって、鏡状に形成することができ、印刷された印刷表示（文字や図形あるいは写真等）をさらに強調することができる。
【００１５】
さらに、この立体構造物は、印刷された第１のプレートに光透過性樹脂材で形成されたプレートを多層にすることによって立体感を高めるとともに装飾性を向上することができる。
【００１６】
また、この立体構造物は、多層で形成された構造物に湾曲部や傾斜面を形成することによって、光の屈折で印刷された印刷表示を変形して鑑賞させることができる。そのため、さらに立体感を高めたり装飾性を向上させたりすることができる。
【００１７】
さらに複数のプレートで接合された立体構造物では、片面に印刷されたプレートを少なくとも２枚含むことによって、印刷表示が二重に浮き出されることとなって印象に残りやすい独特な表現をすることができる。
【００１８】
また、印刷は、印刷層がプレートの一面の周縁部を残して略全面的に印刷されている全面印刷層に形成したり、印刷表示を、例えば、格子状の線の組み合わせや、ドットで形成した図柄や文字等のように内部に印刷されていない無地部を含めた部分印刷層に形成したりすることができる。前述の全面印刷層の場合には、印刷表示を明確に表示することができ、前述の部分印刷層の場合には、プレートどうしを接着する際に、無地面を確保して接着面積を増大することができ、接着耐久性を保持することができる。
【発明を実施するための最良の形態】
【００１９】
次に、本発明の立体構造物における各種の形態を図面に基づいて説明する。
【００２０】
実施形態の立体構造物は、光透過性樹脂材で形成されたプレートを接着剤で複数層に形成するとともに、そのうちの１枚のプレートに印刷を施して、印刷された表示を強調できるように形成したものである。
【００２１】
図１〜２に示すように、第１の形態による立体構造物１は、光透過性樹脂材で形成された２枚のプレート３、４を接着剤５で接合して構成されている。２枚のプレート３、４は略同じ厚みに形成されている。第１のプレート３には、一方の面に印刷が施されている。印刷表示６は、文字や図形あるいは写真等であり、この印刷は立体素材に対応した印刷機１０で印刷される。印刷表示６は、第１のプレート３の周縁部を残して略全面に印刷された全面印刷層８内に表示されている。
【００２２】
光透過性樹脂材で形成された第１のプレート３、第２のプレート４は矩形板状に形成され、例えば、アクリル系製樹脂材あるいはポリカーボネート系樹脂材、で形成されている。印刷機１０は、ＵＶ硬化型インクを使用するインクジェットプリンタ（例えば、ミマキエンジニアリング製インクジェットプリンタ）であり、この印刷機１０は、プリントできる素材としてプラダンやアクリル等のノンコート又はＰＥＴ、ＰＰ、ポリカーボネート、ＡＢＳ樹脂等で厚みのある素材に好適に使用されている。ＵＶ硬化型インクは、プリントメディア表面（実施形態の場合には第１のプレート３表面）に着弾させたインク液を、紫外線照射装置から照射した紫外線により速やかに硬化させるものである。
【００２３】
第１のプレート３に印刷する場合には、図８に示すように、プリントメディアとしての第１のプレート３の印刷される面を上面にして印刷機１０のベッド１１の所定の位置に載置する。Ｘ−Ｙ方向に移動するヘッド１２にはカラー印刷するための複数のＵＶ硬化型インクジェットが装着され、ヘッド１２からインク滴を第１のプレート３の表面に噴射する。この際、紫外線照射装置で紫外線を照射してインクを硬化させる。印刷表示（文字や図形あるいは写真等）６は、原紙から写し取られた写体をデジタル信号に変換して、インクをドット状に噴射することによって行われる。
【００２４】
接着剤５は、接着する際に気泡を発生させず、また樹脂製の第１プレート３、第２プレート４に透過する光を透過するとともに光の屈折を妨げないような特殊な接着剤を使用する。この接着剤５は、例えば、可視光重合型プラスチック用接着剤として製造された商品名「クリアルーチェＭＡ２１」（株式会社アーデル製  登録商標）を使用している。商品名「クリアルーチェＭＡ２１」は、成分が変成アクリレートで形成され、黄色透明液体の外観を有して粘度が１５〜２５ｍＰ・Ｓと超低粘度を示している。つまり、アクリルやポリカーボネートなどの透明樹脂板の面接触に最適な可視光重合型一液性接着剤であり、アクリル系モノマーだけからなる無溶剤系接着剤である。この接着剤５はアクリル系樹脂やポリカーボネートを溶解せずに強力接着できることが特徴である。
【００２５】
この接着剤５は、第１のプレート３の印刷される面の全面、あるいは第２のプレート４における第１のプレートの印刷面と対向する面の全面に塗布される。従って、第１のプレート３の接着面は、全面印刷層８とその周りの周縁部となり周縁部において強力な接着が得られる。
【００２６】
この第１の形態の立体構造物１は、図２に示すように、第１のプレート３の一方の面に印刷を施した後、第１のプレート３の印刷された面と第２のプレート４との一方の面に接着剤５を塗布して重ね合わせた後、光を照射することによって接合する。これは、接着剤５が光を照射することによって硬化するためである。第１のプレート３と第２のプレート４とを一体的に接合した後、切削加工又は研磨加工によって外周面を加工して最終的な製品として形成する。なお、切削加工又は研磨加工をする際、外周面を自由な形状にすることができる。実施形態においては、矩形板状に形成しているが、真円状に形成してもよく、また楕円状でもよく、さらには自由な曲面に形成してもよい。
【００２７】
これによって形成された立体構造物１では、２枚の透明樹脂プレート３、４間で印刷された印刷表示６が浮き出された状態で表現されることとなる。従って、この立体構造物１を装飾性の豊かな看板として使用することができる。また、例えば、立体構造物１の表示が新製品を示すものであれば、店内における新製品の付近にこの立体構造物１を立て掛けて置くことによって、お客様に目を引くことになるから、ＰＲ効果を向上することができる。
【００２８】
なお、この立体構造物１において、印刷された印刷表示６に光を透過しない層を重ねて２層に印刷すれば、印刷表示６は明確となって、さらに強調することができる。また、図３に示すように、第２のプレート４における接着面と反対側の面に光を透過しない１枚の遮光部材７を貼り付けても、印刷表示６を強調できるとともに鏡として形成することができる。なお、実施形態の遮光部材７は、通常ミラー板として呼ばれるものであって、光を反射する反射性部材を第２のプレート４に蒸着したものである。以下、遮光部材７を反射性部材７と呼ぶ。
【００２９】
第２の形態の立体構造物２１は、図４〜５に示すように、第１の形態の立体構造物１に光透過性樹脂材で形成された矩形板状の第３のプレート２２を両面側で多層に積層したものである。第３のプレート２２は、第１のプレート３、第２のプレート４と略同じ厚みに形成され、それぞれ上述の接着剤５で接着されている。第３のプレート２２を積層した立体構造物２１の一方の面における両角部は傾斜面２３、２３として形成され、他方の面には反射性部材７が蒸着されている。反射性部材７は無地の紙片あるいは布片を貼着してもよく、またアルミニウム等の金属薄膜を蒸着したものでもよい。第２の実施形態の場合、図柄又は写真等で表現された印刷表示６がそのまま全面印刷層８として形成されている。
【００３０】
これによって、立体構造物２１は立体感を備えるとともに、印刷表示６が傾斜面２３によって光の屈折により二重に浮き出されて表現される。また、反射性部材７によって鏡として形成されているから、印刷表示６は明確に表される。この傾斜面２３は凸状湾曲面又は凹状湾曲面でもよい。また、傾斜面や湾曲面は角部でなくても外周面のどの部位に形成してもよい。
【００３１】
また、図６〜７に示すように、第３の形態の立体構造物３１は、光透過性樹脂材料で形成された複数のプレート３２からなる多層体に形成されている。中央のいずれかの２枚のプレート３２Ａ、３２Ｂの一端面にはそれぞれ同一方向の面に印刷が施されて印刷表示６がなされている。印刷表示６は、プレート３２Ａ又は３２Ｂの一方の面において周縁部を残して印刷された全面印刷層８内に表示されている。印刷表示６を備えるプレート３２Ａ、３２Ｂは隣接したプレートどうしでもよく、また、離隔して配置されたプレートでもよい。
【００３２】
印刷は上述の形態の印刷機１０で行われ、各プレート３２、３２のそれぞれに対向する面の接着は、上述の形態と同様の可視光重合型プラスチック用接着剤として形成された商品名「クリアルーチェＭＡ２１」（株式会社アーデル製  登録商標）が使用され、面全体に接着されている。この立体構造物３１では、２枚のプレート３２Ａ、３２Ｂに印刷された印刷表示６、６が同じものであれば、正面視は１つに見えても角度をずらして見ることによって二重に浮き出されることになる。また、それぞれのプレート３２Ａ、３２Ｂの印刷表示６、６が別の表現に印刷されていれば、正面視組み合わされたものとして鑑賞できる。
【００３３】
また、図９に示すように、第４の形態の立体構造物４１の場合、印刷表示６そのものが部分印刷層９として形成されている。部分印刷層９とは、第１の形態で示すような第１のプレート３の周縁部を残して略全体的に印刷層が形成される全面印刷層８とは異なり、印刷表示６が線状又はドットの図柄あるいは写真等で表された印刷部９ａと印刷部９ａ間に形成される無地部９ｂとを含めたものを言う。これによって、一対のプレート間で接着する接着面積の増大を確保することができる。
【００３４】
例えば、第４の形態では、直交する２つの線を多数形成した格子柄（線状表示）が印刷部９ａとして形成され、格子柄の間に形成される空間部が無地部９ｂとして形成されている。印刷部９ａは、第１のプレート３の一方の面の略全面に形成される。この際、印刷部９ａの中央には格子柄を形成しないハート型の図柄が無地部９ｂで表されている。そして、第１のプレート３の印刷された面に第２のプレート４の一方の面を接合する。第１のプレート３と第２のプレート４との接合面に接着剤５を塗布して接合面の全面を接着する。この際、第１プレート３の印刷面では、印刷表示６の印刷部９ａと無地部９ｂとに接着剤が塗布されているものの、無地部９ｂの面積は、格子柄以外の周縁部及び、線状の格子柄間、さらにはハート型の図柄を含むことになり、その比率が大きいことから、接着される２枚のプレートは強力に接合されることとなる。
【００３５】
なお、印刷は上述の形態の印刷機１０で行われ、接着剤５も同様の可視光重合型プラスチック用接着剤として形成された商品名「クリアルーチェＭＡ２１」（株式会社アーデル製  登録商標）が使用されている。
【００３６】
また、図１０に示す立体構造物５１は、図９に示す立体構造物４１と同様、印刷表示６が部分印刷層９を示すものである。印刷表示６は、ドットで表現された文字又は数字であり、ドットそのものが印刷部９ａでありドット９ａ以外が無地部９ｂに形成されている。第１のプレート３の一方の面に部分印刷層９が形成され第１のプレート３の印刷面側に第２プレート４が接着剤５で接合されている。この際、第１プレート３の印刷面では、印刷表示６の印刷部９ａと無地部９ｂとに接着剤が塗布されているものの、無地部９ｂの面積は、文字や図形のドットで表される以外の全てであり、その比率が大きいことから、接着される２枚のプレートは強力に接合されることとなる。
【００３７】
なお、印刷は上述の形態の印刷機１０で行われ、接着剤５も同様の可視光重合型プラスチック用接着剤として形成された商品名「クリアルーチェＭＡ２１」（株式会社アーデル製  登録商標）が使用されている。
【００３８】
さらに図１１は、図９に示す立体構造物４１と図１０に示す立体構造物５１を重ね合わせて接合した状態の立体構造物６１を示している。つまり立体構造物４１の第１のプレート３の前面側（印刷面徒反対側）と立体構造物５１の第２のプレート４の候面側とを接着剤５で接合して形成したものである。この立体構造物６１は、図柄を表示した立体構造物４１と文字を表示した立体構造物５１を積層することによって、図柄と文字とを組み合わせた表示を表現することができる。
【００３９】
なお、部分印刷層９として表示される印刷表示６は、格子柄のものやドット以外に、線画で表示されるものであってもよく、また水玉柄や蔦状柄等の線状印刷されるものであってもよい。
【００４０】
上述のように、実施形態の立体構造物１では、光透過性の樹脂材で形成された第１のプレート３の一方の面に印刷が施され、第１のプレート３に形成された印刷表示６の面を間にして、光透過性樹脂材で形成された第２のプレート４を可視重合型一液性接着剤５で接合しているから、第１のプレート３に印刷された印刷表示６を目立たせることができ、例えば看板や新製品を示すＰＲ用置物として使用することができる。
【００４１】
この立体構造物１を基礎として、例えば、印刷表示６を２層で形成したり、立体構造物１の一方の端面に反射性部材７等の遮光部材で蒸着したりすれば、印刷表示６をはっきりと表現できるとともに、鏡として使用することができる。
【００４２】
さらに、立体構造物２１のように、光透過性樹脂材で形成された第３のプレート２２を、第１のプレート３、第２のプレート４に重ねて形成し、角部に傾斜面２３や湾曲面を形成すれば、印刷表示６が，各種に変形して装飾性を豊かにすることができる。
【００４３】
また、光透過性樹脂材で形成されたプレート３２を多数層に形成して、そのうちの２枚のプレート３２Ａ、３２Ｂの一方の面に印刷を施せば、多彩な表現をかもし出すことができ、目立ち易い特異な置物として鑑賞することができる。
【００４４】
さらに、印刷は、全面印刷層８に形成したり、部分印刷層９に形成することができる。全面印刷層８の場合には、印刷表示６を明確に表示することができ、部分印刷層９の場合には、プレートどうしを接着する際に、無地面を確保して接着面積を増大することができ、接着耐久性を保持することができる。
【００４５】
なお、本願発明の立体構造物は、上記の形態に限定するものではない。例えば、印刷表示は、文字や図形あるいは写真以外のものであってもよく、また、使用されるものは、看板や商品表示用の置物意外、例えば、単一の立体構造物を左右上下に並設して壁に貼り付けたパネルとしてもよい。
【図面の簡単な説明】
【００４６】
【図１】本発明における第１の形態の立体構造物を示す斜視図である。
【図２】同分解斜視図である。
【図３】第１のプレートに遮光部材を粘着した第２のプレートを接合する状態を示す分解斜視図である。
【図４】本発明における第２の形態の立体構造物を示す斜視図である。
【図５】同側面図である。
【図６】第３の形態の立体構造物を示す斜視図である。
【図７】同側面図である。
【図８】板状のプレートに印刷を施す印刷機を示す斜視図である。
【図９】格子柄の印刷表示を、部分印刷層として形成した立体構造物を示す斜視図である。
【図１０】文字や数字の印刷表示を、部分印刷層として形成した立体構造物を示す斜視図である。
【図１１】図９と図１０とを組み合わせた立体構造物を示す斜視図である。
【符号の説明】
【００４７】
１、２１、３１、４１、５１、６１、立体構造物
３、第１のプレート
４、第２のプレート
５、接着剤
６、印刷表示
７、遮光部材（反射性部材）
８、全面印刷層
９、部分印刷層
９ａ、印刷部
９ｂ、無地部
１０、印刷機
２２、第３のプレート
２３、傾斜面
３２、プレート
【図１】
2009128771.tif 000003
【図２】
2009128771.tif 000004
【図３】
2009128771.tif 000005
【図４】
2009128771.tif 000006
【図５】
2009128771.tif 000007
【図６】
2009128771.tif 000008
【図７】
2009128771.tif 000009
【図８】
2009128771.tif 000010
【図９】
2009128771.tif 000011
【図１０】
2009128771.tif 000012
【図１１】
2009128771.tif 000013